(57)【要約】【課題】  電子キーとしての補助的な用途とは別に主となる用途を有する汎用手段に対して、電子キーとしての利用価値を柔軟に付与することが可能な作動制御装置を提供すること。【解決手段】    施解錠制御装置２０は、対応する電子キー（電子キー１０、テレビリモコン４０、携帯電話５０）が利用されたときにドアの作動を許可するマイコン２４を備えている。メモリ２４ａは、正規の暗証コードを記憶する。復調回路２２は、汎用手段（テレビリモコン４０、携帯電話５０）を主となる用途で利用するためのコードフォーマットを用いて、汎用手段から送信されてくる暗証コードを特定する。マイコン２４は、復調回路２２により特定された暗証コードが、メモリ２４ａに記憶されている正規の暗証コードと一致したとき、ドアの作動を許可する。【選択図】      図１
2006090029.tif 000002
【特許請求の範囲】
【請求項１】
対応する電子キーが利用されたときに制御対象の作動を許可する制御手段を備えた作動制御装置において、
電子キーとしての補助的な用途とは別に主となる用途を有する汎用手段から送信されてくる暗証コードが、制御対象の作動を許可する上で適正のものであるか否かを判断するための指標となる正規の暗証コードを記憶する記憶手段と、
前記汎用手段を主となる用途で利用するためのコードフォーマットを用いて、前記汎用手段から送信されてくる暗証コードを特定する特定手段とを備え、
前記制御手段は、前記特定手段により特定された暗証コードが、前記記憶手段に記憶されている正規の暗証コードと一致したとき、制御対象の作動を許可することを特徴とする作動制御装置。
【請求項２】
請求項１に記載の作動制御装置において、
前記特定手段は、前記汎用手段を赤外線送信機として利用するための赤外線コードフォーマットを用いて暗証コードを特定することを特徴とする作動制御装置。
【請求項３】
請求項１又は請求項２に記載の作動制御装置において、
前記記憶手段は、前記汎用手段としてのテレビリモコンのテンキーが操作されることで送信されてくる暗証コードが、制御対象の作動を許可する上で適正のものであるか否かを判断するための指標となる正規の暗証コードを記憶することを特徴とする作動制御装置。
【請求項４】
請求項１〜請求項３のいずれか１項に記載の作動制御装置において、
前記特定手段は、単一のコードフォーマットを用いて暗証コードを特定することを特徴とする作動制御装置。
【請求項５】
請求項１〜請求項４のいずれか１項に記載の作動制御装置において、
制御対象となる開閉体の一側の所定領域内に人が存在している旨を検出する人検出センサを備え、
前記制御手段は、前記人検出センサにより人が検出されている状態で前記両暗証コードが一致したとき、開閉体の開作動を許可することを特徴とする作動制御装置。
【発明の詳細な説明】
【技術分野】
【０００１】
本発明は、対応する電子キーが利用されたときに制御対象の作動を許可する作動制御装置に関する。
【背景技術】
【０００２】
近年、対応する電子キーが利用されたときに作動制御装置により制御対象の作動を許可する電子キーシステムが提案されている。特許文献１には、対応する電子キー（携帯機）の解錠スイッチが操作されたときに、作動制御装置（車両側の通信制御装置）により車両のドアの解錠を許可する電子キーシステム（施解錠制御装置）が開示されている。この種の電子キーシステムによれば、電子キーの所持者は、乗車時にメカニカルキーを用いた煩雑な操作を行う必要がない。つまり、人は、遠隔操作にてドアを解錠できる。従って、電子キーシステムは、利便性に優れる。しかも、メカニカルキーと比較して複製が格段に困難な電子キーを利用しなければ、ドアの解錠が許可されない。従って、電子キーシステムは、セキュリティレベルが高い。
【０００３】
このように有用な電子キーシステムは、車両のみならず建物にも応用されている。特許文献２には、送信機のテンキーから対応する暗証番号（操作コード）が入力されたときに、住宅側の受信機により住宅のドアの解錠を許可する電子キーシステム（施解錠装置）が開示されている。
【特許文献１】特開２００４−０６８４４７号公報
【特許文献２】特開２００２−２５０１５９号公報
【発明の開示】
【発明が解決しようとする課題】
【０００４】
ところで、電子キーを紛失した場合、人は、遠隔操作にてドアを解錠できない。この場合、電子キーを複製すればよいようにも思える。しかしながら、電子キーを複製するためには、長時間を要する。
【０００５】
本発明は、このような問題点に着目してなされたものであって、その目的は、電子キーとしての補助的な用途とは別に主となる用途を有する汎用手段に対して、電子キーとしての利用価値を柔軟に付与することが可能な作動制御装置を提供することにある。
【課題を解決するための手段】
【０００６】
上記の目的を達成するために、請求項１に記載の発明では、対応する電子キーが利用されたときに制御対象の作動を許可する制御手段を備えた作動制御装置において、電子キーとしての補助的な用途とは別に主となる用途を有する汎用手段から送信されてくる暗証コードが、制御対象の作動を許可する上で適正のものであるか否かを判断するための指標となる正規の暗証コードを記憶する記憶手段と、前記汎用手段を主となる用途で利用するためのコードフォーマットを用いて、前記汎用手段から送信されてくる暗証コードを特定する特定手段とを備え、前記制御手段は、前記特定手段により特定された暗証コードが、前記記憶手段に記憶されている正規の暗証コードと一致したとき、制御対象の作動を許可する。
【０００７】
請求項２に記載の発明では、請求項１に記載の作動制御装置において、前記特定手段は、前記汎用手段を赤外線送信機として利用するための赤外線コードフォーマットを用いて暗証コードを特定する。
【０００８】
請求項３に記載の発明では、請求項１又は請求項２に記載の作動制御装置において、前記記憶手段は、前記汎用手段としてのテレビリモコンのテンキーが操作されることで送信されてくる暗証コードが、制御対象の作動を許可する上で適正のものであるか否かを判断するための指標となる正規の暗証コードを記憶する。
【０００９】
請求項４に記載の発明では、請求項１〜請求項３のいずれか１項に記載の作動制御装置において、前記特定手段は、単一のコードフォーマットを用いて暗証コードを特定する。
請求項５に記載の発明では、請求項１〜請求項４のいずれか１項に記載の作動制御装置において、制御対象となる開閉体の一側の所定領域内に人が存在している旨を検出する人検出センサを備え、前記制御手段は、前記人検出センサにより人が検出されている状態で前記両暗証コードが一致したとき、開閉体の開作動を許可する。
【００１０】
以下、本発明の「作用」について説明する。
請求項１に記載の発明によると、汎用手段から送信されてきた暗証コードが正規の暗証コードと一致したとき、制御手段により制御対象の作動が許可される。つまり、本来は主となる用途で利用される汎用手段を、電子キーとして補助的に利用することが可能となる。
【００１１】
請求項２に記載の発明によると、赤外線送信機として利用される汎用手段に対して、電子キーとしての利用価値を柔軟に付与することができる。
請求項３に記載の発明によると、極めて汎用性に優れたテレビリモコンに対して、電子キーとしての利用価値を柔軟に付与することができる。
【００１２】
請求項４に記載の発明によると、暗証コードを容易に特定することができる。
請求項５に記載の発明によると、開閉体の近傍に人が存在していない限り、開閉体の開作動が許可されない。従って、セキュリティレベルを向上できる。
【発明の効果】
【００１３】
本発明は、以上のように構成されているため、次のような効果を奏する。
請求項１〜請求項５のいずれか１項に記載の発明によれば、電子キーとしての補助的な用途とは別に主となる用途を有する汎用手段に対して、電子キーとしての利用価値を柔軟に付与することができる。
【発明を実施するための最良の形態】
【００１４】
以下、本発明を住宅用の電子キーシステムに具体化した一実施形態を説明する。
図１に示すように、電子キーシステム１は、電子キー１０と施解錠制御装置２０とを備えている。電子キー１０は、住宅２（図２参照）に居住する家人によって所持されるものである。施解錠制御装置２０は、住宅２の玄関（主にドア３）に設けられるものである。電子キーシステム１は、電子キー１０と施解錠制御装置２０との間で赤外線による単方向通信が可能である。
【００１５】
電子キー１０は、赤外線による送信機能を有している。電子キー１０は、解錠スイッチ１１、施錠スイッチ１２、マイコン１３、変調回路１４、発光素子１５を備えている。解錠スイッチ１１は、外部から押圧操作可能である。解錠スイッチ１１は、押圧操作されたとき、ドア３を解錠するための操作が行われた旨の検出信号をマイコン１３に出力する。施錠スイッチ１２は、外部から押圧操作可能である。施錠スイッチ１２は、押圧操作されたとき、ドア３を施錠するための操作が行われた旨の検出信号をマイコン１３に出力する。
【００１６】
マイコン１３は、図示しないＣＰＵ、ＲＯＭ、ＲＡＭ等からなるＣＰＵユニットである。マイコン１３は、不揮発性のメモリ１３ａを備えている。メモリ１３ａには、電子キー１０と同じたぐいの電子キー毎に個別に設定されたＩＤコード（電子キー１０のＩＤコード）が記憶されている。マイコン１３は、解錠スイッチ１１から検出信号が入力されたとき、ドア３の解錠を要求する旨の操作コード（第１操作コード）と電子キー１０のＩＤコードとを含む信号（第１ＩＤコード信号）を変調回路１４に出力する。マイコン１３は、施錠スイッチ１２から検出信号が入力されたとき、ドア３の施錠を要求する旨の操作コード（第２操作コード）と電子キー１０のＩＤコードとを含む信号（第２ＩＤコード信号）を変調回路１４に出力する。
【００１７】
変調回路１４は、マイコン１３から第１ＩＤコード信号が入力されたとき、その第１ＩＤコード信号を所定の赤外線コードフォーマットを用いて変調して第１送信信号を生成し、その第１送信信号を発光素子１５に出力する。所定の赤外線コードフォーマットとは、どのような態様で発光素子１５を点灯又は消灯させるのかを決定するためのものである。変調回路１４は、マイコン１３から第２ＩＤコード信号が入力されたとき、その第２ＩＤコード信号を所定の赤外線コードフォーマットを用いて変調して第２送信信号を生成し、その第２送信信号を発光素子１５に出力する。
【００１８】
発光素子１５は、赤外線発光ダイオードにより構成されている。発光素子１５は、変調回路１４から第１送信信号が入力されたとき、第１の態様で点灯又は消灯する。発光素子１５は、変調回路１４から第２送信信号が入力されたとき、第２の態様で点灯又は消灯する。
【００１９】
施解錠制御装置２０は、赤外線による受信機能を有している。施解錠制御装置２０は、受光素子２１、復調回路２２、人検出センサ２３、マイコン２４を備えている。受光素子２１は、赤外線を受光可能である。受光素子２１は、フォトダイオードにより構成されている。受光素子２１は、ドア３（図２参照）の一側（本実施形態では屋外側）に露出されている。受光素子２１は、第１の態様で点灯又は消灯されている発光素子１５から送信されてくる赤外線を受光したとき、第１検出信号を復調回路２２に出力する。受光素子２１は、第２の態様で点灯又は消灯されている発光素子１５から送信されてくる赤外線を受光したとき、第２検出信号を復調回路２２に出力する。
【００２０】
復調回路２２は、受光素子２１から第１検出信号が入力されたとき、その第１検出信号を所定の赤外線コードフォーマットを用いて復調して第１受信信号を生成し、その第１受信信号をマイコン２４に出力する。第１受信信号には、ドア３の解錠を要求する旨の操作コード（第１操作コード）と電子キー１０のＩＤコードとが含まれている。復調回路２２は、受光素子２１から第２検出信号が入力されたとき、その第２検出信号を所定の赤外線コードフォーマットを用いて復調して第２受信信号を生成し、その第２受信信号をマイコン２４に出力する。第２受信信号には、ドア３の施錠を要求する旨の操作コード（第２操作コード）と電子キー１０のＩＤコードとが含まれている。
【００２１】
要するに、復調回路２２は、所定の赤外線コードフォーマットを用いて、電子キー１０から送信されてくる操作コード（第１操作コード又は第２操作コード）、電子キー１０のＩＤコードを特定する。復調回路２２で用いられる所定の赤外線コードフォーマットは、電子キー１０の変調回路１４で用いられる所定の赤外線コードフォーマットと同一である。
【００２２】
人検出センサ２３は、ドア３（図２参照）の一側（本実施形態では屋外側）の所定領域（本実施形態ではドア３から１．０ｍまでの範囲）Ａ内に人が存在している旨を検出するためのものである。人検出センサ２３は、人を検出したとき、ドア３の近傍に人が存在している旨の検出信号をマイコン２４に出力する。
【００２３】
マイコン２４は、図示しないＣＰＵ、ＲＯＭ、ＲＡＭ等からなるＣＰＵユニットである。マイコン２４は、不揮発性のメモリ２４ａを備えている。メモリ２４ａには、対応する電子キー１０のＩＤコードと同一のＩＤコード（住宅２側のＩＤコード）が記憶されている。マイコン２４は、復調回路２２から第１受信信号が入力されたとき、電子キー１０のＩＤコードと住宅２側のＩＤコードとが一致しているか否かを判断する（ＩＤコード照合）。マイコン２４は、人検出センサ２３から検出信号が入力されている状態で、第１受信信号に含まれているＩＤコードと住宅２側のＩＤコードとが一致したとき、ドア制御装置３０に解錠許可信号を出力する。
【００２４】
マイコン２４は、復調回路２２から第２受信信号が入力されたときにも、ＩＤコード照合を実行する。マイコン２４は、人検出センサ２３から検出信号が入力されている状態で、第２受信信号に含まれているＩＤコードと住宅２側のＩＤコードとが一致したとき、ドア制御装置３０に施錠許可信号を出力する。
【００２５】
ドア制御装置３０は、マイコン２４から解錠許可信号が入力されたとき、図示しないアクチュエータを制御することによりドア３を解錠させる。ドア制御装置３０は、マイコン２４から施錠許可信号が入力されたとき、図示しないアクチュエータを制御することによりドア３を施錠させる。
【００２６】
このように電子キーシステム１は、対応する電子キー１０が利用されたときに、施解錠制御装置２０のマイコン２４によりドア３の作動を許可する。
次に、電子キーシステム１の特徴点について説明する。
【００２７】
図１に示すように、電子キーシステム１は、テレビリモコン４０をさらに備えている。テレビリモコン４０は、住宅２（図２参照）に居住する家人によって所持されるものである。電子キーシステム１は、テレビリモコン４０と施解錠制御装置２０との間でも赤外線による単方向通信が可能である。
【００２８】
テレビリモコン４０は、テレビのチャンネルを合わせるという主となる用途を有している。テレビリモコン４０は、複数のメーカの各々が製造しているテレビに全て対応可能なリモコン（各社対応市販テレビリモコン）である。テレビリモコン４０は、赤外線による送信機能を有している。要するに、テレビリモコン４０は、赤外線送信機として利用されるものである。テレビリモコン４０は、設定スイッチ４１、テンキー４２、送信ユニット４３を備えている。送信ユニット４３は、マイコン４４、変調回路４５、発光素子４６を備えている。
【００２９】
設定スイッチ４１は、テレビに応じて複数のメーカの中から所定のメーカを選択することでテレビリモコン４０をテレビに対応させるために操作されるものである。設定スイッチ４１は、所定のメーカを選択するための操作が行われたとき、該メーカが選択された旨の検出信号を変調回路４５に出力する。
【００３０】
テンキー４２は、外部から押圧操作可能である。テンキー４２は、１０個のスイッチにより構成されている。テンキー４２は、「０」に対応するスイッチが押圧操作されたとき、「０」を入力するための操作が行われた旨の検出信号をマイコン４４に出力する。同様に、テンキー４２は、「１」〜「９」の各々に対応するスイッチが押圧操作されたとき、「１」〜「９」の各々を入力するための操作が行われた旨の検出信号をマイコン４４に出力する。
【００３１】
マイコン４４は、図示しないＣＰＵ、ＲＯＭ、ＲＡＭ等からなるＣＰＵユニットである。マイコン４４は、テンキー４２から検出信号が入力されたとき、テンキー４２の操作により入力された「数字（０〜９のいずれか）」に対応する暗証コードを生成し、その暗証コードを変調回路４５に出力する。
【００３２】
変調回路４５は、複数の赤外線コードフォーマットを有している。赤外線コードフォーマットとは、どのような態様で発光素子４６を点灯又は消灯させるのかを決定するためのものである。赤外線コードフォーマットは、メーカ毎に個別に設定されている。複数の赤外線コードフォーマットの中には、電子キー１０の変調回路１４や施解錠制御装置２０の復調回路２２で用いられる所定の赤外線コードフォーマットが含まれている。変調回路４５は、設定スイッチ４１から検出信号が入力されたとき、設定スイッチ４１の操作により選択されたメーカに対応する赤外線コードフォーマットを選択する。変調回路４５は、マイコン４４から暗証コードが入力されたとき、その暗証コードを、該選択した赤外線コードフォーマットを用いて変調して送信信号を生成し、その送信信号を発光素子４６に出力する。
【００３３】
発光素子４６は、赤外線発光ダイオードにより構成されている。発光素子４６は、変調回路４５から送信信号が入力されたとき、その送信信号に応じた所定の態様で点灯又は消灯する。発光素子４６は、テンキー４２の操作により入力される「数字（０〜９のいずれか）」（暗証コード）が同一でも、設定スイッチ４１の操作により選択されるメーカ（赤外線コードフォーマット）が異なれば、異なる態様で点灯又は消灯する。
【００３４】
施解錠制御装置２０の受光素子２１は、所定の態様で点灯又は消灯されている発光素子４６から送信されてくる赤外線を受光したとき、該態様に応じた検出信号を復調回路２２に出力する。復調回路２２は、受光素子２１から該検出信号が入力されたとき、その検出信号を所定の赤外線コードフォーマットを用いて復調して受信信号を生成し、その受信信号（暗証コードを含む）をマイコン２４に出力する。要するに、復調回路２２は、所定の赤外線コードフォーマット（テレビリモコン４０を主となる用途で利用するためのコードフォーマット＝テレビリモコン４０を赤外線送信機として利用するための赤外線コードフォーマット）を用いて、テレビリモコン４０から送信されてくる暗証コードを特定する。
【００３５】
マイコン２４のメモリ２４ａには、正規の暗証コードがさらに記憶されている。正規の暗証コードとは、テレビリモコン４０のテンキー４２が操作されることでテレビリモコン４０から送信されてくる暗証コードが、ドア３の作動を許可する上で適正のものであるか否かを判断するための指標となるものである。マイコン２４は、復調回路２２から該受信信号が入力されたとき、その受信信号に含まれている暗証コードと正規の暗証コードとが一致しているか否かを判断する（暗証コード照合）。マイコン２４は、人検出センサ２３から検出信号が入力されている状態で両暗証コードが一致したとき、ドア制御装置３０に解錠許可信号を出力する。ドア制御装置３０は、マイコン２４から解錠許可信号が入力されたとき、図示しないアクチュエータを制御することによりドア３を解錠させる。
【００３６】
このように電子キーシステム１は、対応するテレビリモコン４０が利用されたときにも、施解錠制御装置２０のマイコン２４によりドア３の作動を許可する。要するに、テレビリモコン４０は、電子キー１０と同じたぐいの電子キーとしての補助的な用途を有している。
【００３７】
次に、電子キーシステム１の別の特徴点について説明する。
図１に示すように、電子キーシステム１は、携帯電話５０をさらに備えている。携帯電話５０は、住宅２（図２参照）に居住する家人によって所持されるものである。電子キーシステム１は、携帯電話５０と施解錠制御装置２０との間でも赤外線による単方向通信が可能である。
【００３８】
携帯電話５０は、通話（送話、受話）、電子メールのやりとり（送信、受信）、カメラでの撮影等という主となる用途を有している。携帯電話５０は、テレビのチャンネルを合わせるという主となる用途も有している。携帯電話５０は、テレビリモコン４０と同様に、複数のメーカの各々が製造しているテレビに全て対応可能なリモコンとして機能する。携帯電話５０は、赤外線による送信機能を有している。要するに、携帯電話５０は、赤外線送信機として利用可能である。携帯電話５０は、携帯電話機能部５０ａ、設定スイッチ５１、テンキー５２、送信ユニット５３を備えている。送信ユニット５３は、マイコン５４、変調回路５５、発光素子５６を備えている。携帯電話機能部５０ａは、携帯電話５０を電話機として利用するために必要な機能を有している。
【００３９】
設定スイッチ５１は、テレビに応じて複数のメーカの中から所定のメーカを選択することで携帯電話５０をテレビに対応させるために操作されるものである。設定スイッチ５１は、所定のメーカを選択するための操作が行われたとき、該メーカが選択された旨の検出信号を変調回路５５に出力する。
【００４０】
テンキー５２は、外部から押圧操作可能である。テンキー５２は、１０個のスイッチにより構成されている。テンキー５２は、「０」に対応するスイッチが押圧操作されたとき、「０」を入力するための操作が行われた旨の検出信号をマイコン５４に出力する。同様に、テンキー５２は、「１」〜「９」の各々に対応するスイッチが押圧操作されたとき、「１」〜「９」の各々を入力するための操作が行われた旨の検出信号をマイコン５４に出力する。
【００４１】
マイコン５４は、図示しないＣＰＵ、ＲＯＭ、ＲＡＭ等からなるＣＰＵユニットである。マイコン５４は、テンキー５２から検出信号が入力されたとき、テンキー５２の操作により入力された「数字（０〜９のいずれか）」に対応する暗証コードを生成し、その暗証コードを変調回路５５に出力する。
【００４２】
変調回路５５は、複数の赤外線コードフォーマットを有している。赤外線コードフォーマットとは、どのような態様で発光素子５６を点灯又は消灯させるのかを決定するためのものである。赤外線コードフォーマットは、メーカ毎に個別に設定されている。複数の赤外線コードフォーマットの中には、電子キー１０の変調回路１４や施解錠制御装置２０の復調回路２２で用いられる所定の赤外線コードフォーマットが含まれている。変調回路５５は、設定スイッチ５１から検出信号が入力されたとき、設定スイッチ５１の操作により選択されたメーカに対応する赤外線コードフォーマットを選択する。変調回路５５は、マイコン５４から暗証コードが入力されたとき、その暗証コードを、該選択した赤外線コードフォーマットを用いて変調して送信信号を生成し、その送信信号を発光素子５６に出力する。
【００４３】
発光素子５６は、赤外線発光ダイオードにより構成されている。発光素子５６は、変調回路５５から送信信号が入力されたとき、その送信信号に応じた所定の態様で点灯又は消灯する。発光素子５６は、テンキー５２の操作により入力される「数字（０〜９のいずれか）」（暗証コード）が同一でも、設定スイッチ５１の操作により選択されるメーカ（赤外線コードフォーマット）が異なれば、異なる態様で点灯又は消灯する。
【００４４】
施解錠制御装置２０の受光素子２１は、所定の態様で点灯又は消灯されている発光素子５６から送信されてくる赤外線を受光したとき、該態様に応じた検出信号を復調回路２２に出力する。復調回路２２は、受光素子２１から該検出信号が入力されたとき、その検出信号を所定の赤外線コードフォーマットを用いて復調して受信信号を生成し、その受信信号（暗証コードを含む）をマイコン２４に出力する。要するに、復調回路２２は、所定の赤外線コードフォーマット（携帯電話５０を主となる用途で利用するためのコードフォーマット＝携帯電話５０を赤外線送信機として利用するための赤外線コードフォーマット）を用いて、携帯電話５０から送信されてくる暗証コードを特定する。
【００４５】
マイコン２４のメモリ２４ａに記憶されている正規の暗証コードは、携帯電話５０のテンキー５２が操作されることで携帯電話５０から送信されてくる暗証コードが、ドア３の作動を許可する上で適正のものであるか否かを判断するための指標となるものでもある。マイコン２４は、復調回路２２から該受信信号が入力されたとき、その受信信号に含まれている暗証コードと正規の暗証コードとが一致しているか否かを判断する（暗証コード照合）。マイコン２４は、人検出センサ２３から検出信号が入力されている状態で両暗証コードが一致したとき、ドア制御装置３０に解錠許可信号を出力する。ドア制御装置３０は、マイコン２４から解錠許可信号が入力されたとき、図示しないアクチュエータを制御することによりドア３を解錠させる。
【００４６】
このように電子キーシステム１は、対応する携帯電話５０が利用されたときにも、施解錠制御装置２０のマイコン２４によりドア３の作動を許可する。要するに、携帯電話５０は、電子キー１０と同じたぐいの電子キーとしての補助的な用途を有している。
【００４７】
次に、施解錠制御装置２０のメモリ２４ａに正規の暗証コードを登録する場合の動作を説明する。以下、正規の暗証コードとして４桁の暗証コード（暗証番号）「３２７９」を登録する場合の動作を説明する。
【００４８】
図１に示すように、施解錠制御装置２０は、第１登録スイッチ２５、第２登録スイッチ２６を備えている。第１登録スイッチ２５、第２登録スイッチ２６は、いずれもマイコン２４に電気的に接続されている。第１登録スイッチ２５、第２登録スイッチ２６は、いずれも外部から押圧操作可能である。
【００４９】
さて、住宅２の家人による登録作業は、以下の通りである。
まず、第１登録スイッチ２５が所定時間（本実施形態では３秒間）に亘って押圧操作される。マイコン２４は、第１登録スイッチ２５が長押しされたとき、施解錠制御装置２０を暗証コード登録モードに移行させる。
【００５０】
次いで、第１登録スイッチ２５が３回押圧操作される。続いて、第２登録スイッチ２６が１回押圧操作される。
次いで、第１登録スイッチ２５が２回押圧操作される。続いて、第２登録スイッチ２６が１回押圧操作される。
【００５１】
次いで、第１登録スイッチ２５が７回押圧操作される。続いて、第２登録スイッチ２６が１回押圧操作される。
次いで、第１登録スイッチ２５が９回押圧操作される。続いて、第２登録スイッチ２６が１回押圧操作される。
【００５２】
最後に、第２登録スイッチ２６が所定時間（本実施形態では３秒間）に亘って押圧操作される。マイコン２４は、第２登録スイッチ２６が長押しされたとき、メモリ２４ａに正規の暗証コードとして「３２７９」を記憶させた後、暗証コード登録モードを解除させる。
【００５３】
次に、電子キーシステム１の作用を説明する。
（電子キー１０を利用した場合のドア３の開作動）
ドア３の近傍で電子キー１０の発光素子１５をドア３の受光素子２１に向けた状態で電子キー１０の解錠スイッチ１１を操作すると、ドア３が解錠される。
【００５４】
（テレビリモコン４０を利用した場合のドア３の開作動）
テレビリモコン４０の設定スイッチ４１を操作して所定のメーカ（施解錠制御装置２０の復調回路２２で用いられる所定の赤外線コードフォーマットに対応するメーカ）を予め選択しておく。そして、ドア３の近傍でテレビリモコン４０の発光素子４６をドア３の受光素子２１に向けた状態でテレビリモコン４０のテンキー４２を操作して「３２７９」を入力すると、ドア３が解錠される。
【００５５】
（携帯電話５０を利用した場合のドア３の開作動）
携帯電話５０の設定スイッチ５１を操作して所定のメーカ（施解錠制御装置２０の復調回路２２で用いられる所定の赤外線コードフォーマットに対応するメーカ）を予め選択しておく。そして、ドア３の近傍で携帯電話５０の発光素子５６をドア３の受光素子２１に向けた状態で携帯電話５０のテンキー５２を操作して「３２７９」を入力すると、ドア３が解錠される。
【００５６】
以上、詳述したように本実施形態によれば、次のような作用、効果を得ることができる。
（１）テレビリモコン４０から送信されてきた暗証コードが正規の暗証コードと一致したとき、施解錠制御装置２０のマイコン２４によりドア３の作動が許可される。つまり、本来は主となる用途で利用されるテレビリモコン４０を、電子キーとして補助的に利用することが可能となる。従って、電子キーとしての補助的な用途とは別に主となる用途を有するテレビリモコン４０に対して、電子キーとしての利用価値を柔軟に付与することができる。
【００５７】
（２）携帯電話５０から送信されてきた暗証コードが正規の暗証コードと一致したとき、施解錠制御装置２０のマイコン２４によりドア３の作動が許可される。つまり、本来は主となる用途で利用される携帯電話５０を、電子キーとして補助的に利用することが可能となる。従って、電子キーとしての補助的な用途とは別に主となる用途を有する携帯電話５０に対して、電子キーとしての利用価値を柔軟に付与することができる。
【００５８】
（３）赤外線送信機として利用される汎用手段（テレビリモコン４０、携帯電話５０）に対して、電子キーとしての利用価値を柔軟に付与することができる。
（４）極めて汎用性に優れたテレビリモコン（テレビリモコン４０、携帯電話５０）に対して、電子キーとしての利用価値を柔軟に付与することができる。
【００５９】
（５）復調回路２２は、単一のコードフォーマットを用いて暗証コードを特定するため、暗証コードを容易に特定することができる。ちなみに、本実施形態とは異なり、復調回路２２が複数のコードフォーマットを有している場合、各コードフォーマットのうちのどのコードフォーマットが用いられてテレビリモコン４０（携帯電話５０）から暗証コードが送信されてきたのかを判断する必要があって煩雑である。
【００６０】
（６）ドア３の近傍に人が存在していない限り、ドア３の開作動が許可されない。従って、セキュリティレベルを向上できる。
（７）電子キー１０を紛失した場合でも、テレビリモコン４０や携帯電話５０を利用することでドア３を解錠することができる。
【００６１】
（８）正規の暗証コードを登録する場合、施解錠制御装置２０の第１登録スイッチ２５及び第２登録スイッチ２６を用いればよい。つまり、施解錠制御装置２０にテンキーを設ける必要がない。従って、施解錠制御装置２０を小型化できる。
【００６２】
（９）正規の暗証コードを登録する場合、テレビリモコン４０や携帯電話５０を用いなくてもよい。つまり、施解錠制御装置２０側だけで正規の暗証コードを登録することができる。従って、暗証コードの登録を容易に行うことができて簡便である。勿論、暗証コードの変更も容易に行うことができる。
【００６３】
尚、前記実施形態は、次のように変更して具体化することも可能である。
・施解錠制御装置２０のメモリ２４ａに正規の暗証コードを２つ（第１の暗証コード、第２の暗証コード）記憶させておく構成としてもよい。この場合、第１の暗証コードと一致する暗証コードがテレビリモコン４０（携帯電話５０）から送信されてきたときに、マイコン２４によりドア３の解錠を許可する。一方、第２の暗証コードと一致する暗証コードがテレビリモコン４０（携帯電話５０）から送信されてきたときに、マイコン２４によりドア３の施錠を許可する。要するに、暗証コードの違いで解錠／施錠を区別する構成を採用してもよい。
【００６４】
・屋外側に代えて又は加えて屋内側に、受光素子２１と同じたぐいの受光素子や人検出センサ２３と同じたぐいの人検出センサを設けた構成としてもよい。
・人検出センサ２３により人が検出されている状態で両暗証コードが一致したときに、マイコン２４によりドア３の解錠を許可することに留まらず、さらにドア３を自動的に開ける構成としてもよい。要するに、自動ドアに適用してもよい。
【００６５】
・テレビリモコン４０や携帯電話５０を電子キー１０のサブキーとしてではなく、メインキーとして利用する構成としてもよい。
・電子キーシステム１は、住宅２のドア３に限らず、店舗や事務所等の建物のドアに適用されてもよい。
【００６６】
・電子キーシステム１は、建物のドアに限らず、車両のドアに適用されてもよい。
・電子キーシステム１は、ドアの作動を許可するものに限らず、車両のエンジンの始動を許可するものに適用されてもよい。
【図面の簡単な説明】
【００６７】
【図１】電子キーシステムの構成を示すブロック図。
【図２】ドアの概略正面図。
【符号の説明】
【００６８】
３…ドア（制御対象、開閉体）、１０…電子キー、２０…施解錠制御装置（作動制御装置）、２２…復調回路（特定手段）、２３…人検出センサ、２４…マイコン（制御手段）、２４ａ…メモリ（記憶手段）、４０…テレビリモコン（電子キー、汎用手段、赤外線送信機、テレビリモコン）、４２…テンキー、５０…携帯電話（電子キー、汎用手段、赤外線送信機、テレビリモコン）、５２…テンキー、Ａ…所定領域。
【図１】
2006090029.tif 000003
【図２】
2006090029.tif 000004